(57)【要約】【課題】非侵襲で、より信頼性の高いストレス度を測定することのできるストレス管理プログラム、ストレス管理方法およびストレス管理サーバを提供する。【解決手段】通信部２５は、唾液中のα−アミラーゼの活性量の測定データを受信する。基準データ記憶部５１は、被験者のストレス無自覚症状時に測定されたα−アミラーゼの活性量の測定データを被験者の基準データとして記憶する。心理データ記憶部５２は、心理テストの質問に対する被験者の回答に基づいて生成された被験者の心理データを記憶する。検査データ記憶部５４は、被験者の検査時に測定されたα−アミラーゼの活性量の測定データを被験者の検査データとして記憶する。ストレス判定部２９は、検査データと基準データと心理データとに基づいて被験者のストレス度を判定する。表示部２３は、判定したストレス度に応じたストレス解消のための情報を表示する。【選択図】図１
2007278840.tif 000002
【特許請求の範囲】
【請求項１】
コンピュータを、
被験者の生体内から非侵襲で得られる物質であって、かつその濃度または活性量が被験者のストレス度と相関のある物質の濃度または活性量の測定データを入力する入力部と、
前記入力部から入力された被験者のストレス無自覚症状時に測定された前記物質の濃度または活性量を含む前記被験者の基準データを記憶する第１の記憶部と、
心理テストの質問に対する前記被験者の回答に基づいて生成された前記被験者の心理データを記憶する第２の記憶部と、
前記入力部から入力された被験者の検査時に測定された前記物質の濃度または活性量を含む前記被験者の検査データを記憶する第３の記憶部と、
ストレス度に対応させて、ストレス解消のための情報を記憶する第４の記憶部と、
前記第３の記憶部に記憶されている前記検査データと、前記第１の記憶部に記憶されている前記基準データと、前記第２の記憶部に記憶されている前記心理データとに基づいて前記被験者のストレス度を判定するストレス判定部と、
前記判定したストレス度に応じたストレス解消のための情報を前記第４の記憶部から読出して表示する表示部として機能させる、ストレス管理プログラム。
【請求項２】
前記第３の記憶部は、前記検査データの履歴を記憶し、
前記ストレス判定部は、前記判定に用いる前記検査データとして前記第３の記憶部に記憶されている前記検査データの履歴を用いて、前記被験者の経時的ストレス度を判定する、請求項１記載のストレス管理プログラム。
【請求項３】
端末と、サーバとを含むストレス管理システムにおけるストレス管理方法であって、
前記端末が、被験者の生体内から非侵襲で得られる物質であって、かつその濃度または活性量が被験者のストレス度と相関のある物質の被験者の無自覚症状時の濃度または活性量の測定データを前記サーバに送信するステップと、
前記サーバが、前記測定データを受信して、前記被験者の基準データとして第１の記憶部に記憶するステップと、
前記サーバが、心理テストの質問を前記端末に送信するステップと、
前記端末が、前記心理テストの質問を受信して表示部に表示し、前記被験者から前記心理テストの回答を受付けて、前記受付けた前記被験者の回答を前記サーバに送信するステップと、
前記サーバが、前記被験者の回答を受信して、前記回答に基づいて前記被験者の心理データを生成して第２の記憶部に記憶するするステップと、
前記端末が、前記物質の被験者の検査時の濃度または活性量の測定データを前記サーバに送信するステップと、
前記サーバが、前記測定データを受信して、前記被験者の検査データとして第３の記憶部に記憶するステップと、
前記サ−バが、前記第３の記憶部に記憶されている前記検査データと、前記第１の記憶部に記憶されている前記基準データと、前記第２の記憶部に記憶されている前記心理データとに基づいて前記被験者のストレス度を判定するステップと、
前記サーバが、前記判定したストレス度に応じたストレス解消のための情報を第４の記憶部から読出して、前記端末に送信するステップと、
前記端末が、前記ストレス解消のための情報を受信して、前記表示部に表示するステップとを含む、ストレス管理方法。
【請求項４】
前記検査データを記憶するステップにおいて、前記サーバは、前記検査データの履歴を前記第３の記憶部に記憶し、
前記ストレス度を判定するステップにおいて、前記サーバは、前記判定に用いる検査データとして前記第３の記憶部に記憶されている前記検査データの履歴を用いて、前記被験者のストレス度を判定する、請求項３記載のストレス管理方法。
【請求項５】
端末からのデータに基づいて被験者のストレス度を判定するストレス管理サーバであって、
被験者の生体内から非侵襲で得られる物質であって、かつその濃度または活性量が被験者のストレス度と相関のある物質の濃度または活性量を表わすデータおよび心理テストの質問に対する前記被験者の回答を前記端末から受信し、心理テストの質問およびストレス解消のための情報を前記端末へ送信するための通信部と、
前記通信部で受信した被験者のストレス無自覚症状時に測定された前記物質の濃度または活性量を含む前記被験者の基準データを記憶する第１の記憶部と、
前記通信部で受信した心理テストの質問に対する前記被験者の回答に基づいて生成された前記被験者の心理データを記憶する第２の記憶部と、
前記通信部で受信した被験者の検査時に測定された前記物質の濃度または活性量を含む前記被験者の検査データを記憶する第３の記憶部と、
ストレス度に対応させて、ストレス解消のための情報を記憶する第４の記憶部と、
前記第３の記憶部に記憶されている前記検査データと、前記第１の記憶部に記憶されている前記基準データと、前記第２の記憶部に記憶されている前記心理データとに基づいて前記被験者のストレス度を判定し、判定したストレス度に応じたストレス解消のための情報を前記第４の記憶部から読出して、前記通信部を通じて前記端末に送信するストレス判定部とを備える、ストレス管理サーバ。
【請求項６】
前記第３の記憶部は、前記検査データの履歴を記憶し、
前記ストレス判定部は、前記判定に用いる前記検査データとして前記第３の記憶部に記憶されている前記検査データの履歴を用いて、前記被験者の経時的ストレス度を判定する、請求項５記載のストレス管理サーバ。
【発明の詳細な説明】
【技術分野】
【０００１】
本発明は、ストレス管理プログラム、ストレス管理方法およびストレス管理サーバに関し、特に非侵襲でストレスを測定するストレス管理プログラム、ストレス管理方法およびストレス管理サーバに関する。
【背景技術】
【０００２】
従来から、被験者の生体内から非侵襲で得られる物質であって、かつその濃度または活性量が被験者のストレス度と相関のある物質の濃度または活性量を測定することによってストレス度を測定することができる方法が提案されている。たとえば、特許文献１に記載のストレス判定方法によれば、被験者のストレス無自覚症状時に採取した唾液中のα−アミラーゼの活性量を測定し、その活性量を基準値とし、被験者の任意の状態におけるα−アミラーゼの活性量を測定し、基準値と比較する。測定した活性量が基準値よりも大きければ、ストレスを受けていると判定する。
【特許文献１】特開２００２−１６８８６０号公報
【発明の開示】
【発明が解決しようとする課題】
【０００３】
しかしながら、上記の特許文献１によれば、非侵襲でストレス度を測定することができるが、より信頼性の高いストレス度を測定できることが望まれる。なぜなら、特許文献１では、ストレス無自覚症状時におけるα−アミラーゼの活性量からの変化を指標とするので、α−アミラーゼの活性量の個人差を考慮することができるものの、ストレスには、複数の因子が影響しており、α−アミラーゼの活性量だけでは被験者のストレス度を完全には把握できないからである。
【０００４】
それゆえに、本発明の目的は、非侵襲で、より信頼性の高いストレス度を測定することのできるストレス管理プログラム、ストレス管理方法およびストレス管理サーバを提供する。
【課題を解決するための手段】
【０００５】
上記課題を解決するために、本発明のストレス管理プログラムは、コンピュータを、被験者の生体内から非侵襲で得られる物質であって、かつその濃度または活性量が被験者のストレス度と相関のある物質の濃度または活性量の測定データを入力する入力部と、入力部から入力された被験者のストレス無自覚症状時に測定された物質の濃度または活性量を含む被験者の基準データを記憶する第１の記憶部と、心理テストの質問に対する被験者の回答に基づいて生成された被験者の心理データを記憶する第２の記憶部と、入力部から入力された被験者の検査時に測定された物質の濃度または活性量を含む被験者の検査データを記憶する第３の記憶部と、ストレス度に対応させて、ストレス解消のための情報を記憶する第４の記憶部と、第３の記憶部に記憶されている検査データと、第１の記憶部に記憶されている基準データと、第２の記憶部に記憶されている心理データとに基づいて被験者のストレス度を判定するストレス判定部と、判定したストレス度に応じたストレス解消のための情報を第４の記憶部から読出して表示する表示部として機能させる。
【０００６】
好ましくは、第３の記憶部は、検査データの履歴を記憶し、ストレス判定部は、判定に用いる検査データとして第３の記憶部に記憶されている検査データの履歴を用いて、被験者の経時的ストレス度を判定する。
【０００７】
また、本発明は、端末と、サーバとを含むストレス管理システムにおけるストレス管理方法であって、端末が、被験者の生体内から非侵襲で得られる物質であって、かつその濃度または活性量が被験者のストレス度と相関のある物質の被験者の無自覚症状時の濃度または活性量の測定データをサーバに送信するステップと、サーバが、測定データを受信して、被験者の基準データとして第１の記憶部に記憶するステップと、サーバが、心理テストの質問を端末に送信するステップと、端末が、心理テストの質問を受信して表示部に表示し、被験者から心理テストの回答を受付けて、受付けた被験者の回答をサーバに送信するステップと、サーバが、被験者の回答を受信して、回答に基づいて被験者の心理データを生成して第２の記憶部に記憶するするステップと、端末が、物質の被験者の検査時の濃度または活性量の測定データをサーバに送信するステップと、サーバが、測定データを受信して、被験者の検査データとして第３の記憶部に記憶するステップと、サ−バが、第３の記憶部に記憶されている検査データと、第１の記憶部に記憶されている基準データと、第２の記憶部に記憶されている心理データとに基づいて被験者のストレス度を判定するステップと、サーバが、判定したストレス度に応じたストレス解消のための情報を第４の記憶部から読出して、端末に送信するステップと、端末が、ストレス解消のための情報を受信して、表示部に表示するステップとを含む。
【０００８】
好ましくは、検査データを記憶するステップにおいて、サーバは、検査データの履歴を第３の記憶部に記憶し、ストレス度を判定するステップにおいて、サーバは、判定に用いる検査データとして第３の記憶部に記憶されている検査データの履歴を用いて、被験者のストレス度を判定する。
【０００９】
また、本発明は、端末からのデータに基づいて被験者のストレス度を判定するストレス管理サーバであって、被験者の生体内から非侵襲で得られる物質であって、かつその濃度または活性量が被験者のストレス度と相関のある物質の濃度または活性量を表わすデータおよび心理テストの質問に対する被験者の回答を端末から受信し、心理テストの質問およびストレス解消のための情報を端末へ送信するための通信部と、通信部で受信した被験者のストレス無自覚症状時に測定された物質の濃度または活性量を含む被験者の基準データを記憶する第１の記憶部と、通信部で受信した心理テストの質問に対する被験者の回答に基づいて生成された被験者の心理データを記憶する第２の記憶部と、通信部で受信した被験者の検査時に測定された物質の濃度または活性量を含む被験者の検査データを記憶する第３の記憶部と、ストレス度に対応させて、ストレス解消のための情報を記憶する第４の記憶部と、第３の記憶部に記憶されている検査データと、第１の記憶部に記憶されている基準データと、第２の記憶部に記憶されている心理データとに基づいて被験者のストレス度を判定し、判定したストレス度に応じたストレス解消のための情報を第４の記憶部から読出して、通信部を通じて端末に送信するストレス判定部とを備える。
【００１０】
好ましくは、第３の記憶部は、検査データの履歴を記憶し、ストレス判定部は、判定に用いる検査データとして第３の記憶部に記憶されている検査データの履歴を用いて、被験者の経時的ストレス度を判定する。
【発明の効果】
【００１１】
本発明によれば、非侵襲で、より信頼性の高いストレス度を測定することができる。
好ましくは、目視で容易にストレス度を認識することができる。
【発明を実施するための最良の形態】
【００１２】
以下、本発明に係る実施の形態について図面を参照して説明する。
［第１の実施形態］
（構成）
図１は、本発明の第１の実施形態のストレス測定装置およびストレス管理装置の機能ブロック図である。図２は、図１のストレス測定装置の外観を表わす図である。
【００１３】
ストレス管理装置は、被験者のストレス度を算出するが、ここで、ストレス度とは、被験者の自覚症状に依存せずに、被験者の客観的なストレスの度合いをいい、数値または画像などにより表現されうるものをいう。
【００１４】
図１および図２を参照して、このストレス測定装置１は、操作ボタン１０を含む操作入力部１６と、液晶ディスプレイ１２を含む表示部８と、操作レバー１１、シートホルダ１５、唾液採取シート１４およびホルダ挿入口１３を含むα−アミラーゼ測定部１７と、通信部１９とを備えた持ち運び可能な携帯用となっている。
【００１５】
操作入力部１６は、被験者によるα−アミラーゼの活性量の測定の指示を受付ける。
α−アミラーゼ測定部１７は、被験者から唾液を採取して、唾液中にある被験者のストレス度と相関のあるα−アミラーゼの活性量を測定する。α−アミラーゼの活性量の測定方法は、たとえば特開２００４−０２４２３６号公報に詳しく記載されているので、ここでは簡単に説明する。被験者の唾液は、図２に示される唾液採取シート１４に備えた不織布を利用して採取される。唾液採取シート１４はシートホルダ１５で固定され、シートホルダ１５はホルダ挿入口１３に挿入される。操作レバー１１を操作することによって、唾液とα−アミラーゼ測定試薬とを接触させて、α−アミラーゼの酵素反応によって唾液が分解されα−アミラーゼ測定試薬が発色する。この発色を光学的に測定することによって、α−アミラーゼの活性量が測定される。
【００１６】
通信部１９は、α−アミラーゼの活性量の測定値をストレス管理装置２に送信する。
表示部１８は、α−アミラーゼの活性量の測定が実行されているときに、測定中である旨のメッセージを表示する。
【００１７】
さらに、図１を参照して、ストレス管理装置２は、たとえばパーソナルコンピュータで構成され、通信部２５と、操作入力部２１と、表示部２３と、基準データ記憶部５１と、心理データ記憶部５２と、心理テスト記憶部５３と、検査データ記憶部５４と、ユーザ画面記憶部５５と、ユーザ情報記憶部５６と、ストレス解消情報記憶部５７と、ユーザ登録部２６と、ユーザ確認部２７と、基準データ登録部２８と、心理テスト部３０と、ストレス判定部２９、日付管理部８６とを備える。通信部２５と、ユーザ登録部２６と、ユーザ確認部２７と、基準データ登録部２８と、心理テスト部３０と、ストレス判定部２９とは、ストレス管理装置２（パソコン）がストレス管理プログラムを実行することによって実現される機能である。このストレス管理プログラムは、ＣＤ−ＲＯＭなどの記録媒体からの読出し、または外部のサーバからネットワークを通じてダウンロードすることによって、ストレス管理装置２（パソコン）にインストールすることができる。
【００１８】
通信部２５は、α−アミラーゼの活性量の測定値をストレス測定装置１から受信する。
操作入力部２１は、たとえばキーボードおよびマウスで構成され、被験者からユーザＩＤ、ユーザ情報、心理テストの回答の選択などを受付ける。
【００１９】
ユーザ登録部２６は、被験者の登録時において、ユーザ画面記憶部５５からユーザ登録画面を読出して表示部２３に表示し、操作入力部２１を通じて被験者からユーザＩＤおよびユーザ情報の入力を受け、ユーザＩＤと対応させてユーザ情報をユーザ情報記憶部５６に記憶する。ここで、ユーザ情報とは、被験者の趣味または嗜好などを表わす情報である。このユーザ情報は、後述の被験者にストレス解消のための情報を提供するときに用いられる。
【００２０】
基準データ登録部２８は、ストレス測定装置１から受信した被験者のストレス無自覚症状時のα−アミラーゼの活性量の測定値を被験者の基準データとして基準データ記憶部５１に記憶する。基準データは、日付管理部８６から供給される日付情報も取り込んで基準データ記憶部５１に記憶される。ここで、ストレス無自覚症状時とは、被験者が自覚的にストレスを感じていない状態をいう。
【００２１】
心理テスト部３０は、心理テスト記憶部５３から心理テストの質問と回答選択枝を読みだして表示部２３に表示し、操作入力部２１から入力される被験者の回答の選択に基づいて、被験者の心理状態を表わす被験者の心理データを作成して心理データ記憶部５２に記憶する。具体的には、心理テストとしてＳＴＡＩ(State Trait Anxiety Inventory)を用いる。ＳＴＡＩとは、現在不安状況下にあるか（Ｓｔａｔｅ  Ａｎｘｉｅｔｙ：状況不安）と、性格的に不安になりやすいか（Ｔｒａｉｔ  Ａｎｘｉｅｔｙ：特性不安）の両側面を測定するテストである。ＳＴＡＩには状況不安および特性不安の各側面ごとに２０個の質問項目があり、被験者の回答にしたがって、被験者の状況不安または特性不安の心理状態がI〜Vの５段階のいずれかのレベルであると判定する。
【００２２】
本発明の実施形態では、ＳＴＡＩのテストのうち、特性不安を評価するために２０個の質問を行なって、特性不安の心理状態を表わす心理データ（Ｉ〜Vのいずれか）を生成する。
【００２３】
図３は、ＳＴＡＩの質問を表示した画面の例を表わす図である。図３に示すような質問が順次２０個表示される。回答は４択であり、いずれを選択するかによって得点が変わる。２０個の質問に対する回答の得点の総和にしたがって、被験者の心理状態がI〜Ｖのいずれかのレベルに判定される。
【００２４】
ユーザ確認部２７は、被験者のストレス判定時において、ユーザ画面記憶部５５からユーザ確認画面を読出して表示部２３に表示し、操作入力部２１を通じて被験者からユーザＩＤの入力を受け、入力されたユーザＩＤがユーザ情報記憶部５６に記憶されているユーザＩＤのいずれかと一致するかの認証を行なう。
【００２５】
ストレス判定部２９は、ストレス測定装置１から受信した被験者の検査時のα−アミラーゼの活性量の測定値を被験者の検査データとして検査データ記憶部５４に記憶する。検査データは日付管理部８６から供給される日付情報を取り込んで検査データ記憶部５４に記憶される。
【００２６】
ストレス判定部２９は、基準データ記憶部５１に記憶されている被験者のα−アミラーゼの基準データと、心理データ記憶部５２に記憶されている被験者の心理データと、検査データ記憶部５４に記憶されている被験者の検査データと、ストレス判定ルールとに基づいて、被験者の経時的ストレス度を算出する。
【００２７】
図４は、ストレス判定部２９の詳細な構成を表わす図である。
図４を参照して、ストレス判定部２９は、一時的ストレス判定部８１と、一時的ストレス判定ルールを記憶する一時的ストレス判定ルール記憶部８３と、経時的ストレス判定部８２と、経時的ストレス判定ルールを記憶する経時的ストレス判定ルール記憶部８４と、図形データ記憶部８５とを含む。
【００２８】
一時的ストレス判定部８１は、被験者のα−アミラーゼの検査データと、被験者のα−アミラーゼの基準データと、被験者の心理データと、一時的ストレス判定ルールに従って、各日の被験者の一時的ストレス度（正常か、注意か）を判定する。ここで、一時的ストレス度とは、生化学的な見地によるストレス度と相関のあるパラメータと、心理学的な見地によるストレス度と相関のあるパラメータとから、測定時における被験者の精神状態を判断する度合いをいう。
【００２９】
図５は、一時的ストレス判定ルールの例を表わす図である。
図５に示す一時的ストレス判定ルールが用いられる場合には、一時的ストレス判定部８１は、検査データの値の基準データの値からの変化値を計算する。一時的ストレス判定部８１は、検査データの値が基準データの値よりも小さいときには、変化値を０とする。そして、一時的ストレス判定部８１は、心理データがＩの場合に変化値が２０以上のときに注意と判定し、２０未満の場合に正常と判定する。一時的ストレス判定部８１は、心理データがIIの場合に変化値が４０以上のときに注意と判定し、４０未満のときに正常と判定する。一時的ストレス判定部８１は、心理データがIIIの場合に変化値が６０以上のときに注意と判定し、６０未満の場合に正常と判定する。一時的ストレス判定部８１は、心理データがIVの場合に変化値が８０以上のときに注意と判定し、８０未満の場合に正常と判定する。一時的ストレス判定部８１は、心理データがVの場合に変化値が１００以上のときに注意と判定し、１００未満の場合に正常と判定する。
【００３０】
経時的ストレス判定部８２は、経時的ストレス判定ルールと一時的ストレス判定結果に従って、被験者の経時的ストレス度を算出する。
【００３１】
図６は、経時的ストレス判定ルールの例を表わす図である。
図６に示す経時的ストレス判定ルールが用いられる場合には、経時的ストレス判定部８２は、たとえば、２日前が正常と判定され、１日前が正常と判定され、当日が正常と判定されたときには、経時的ストレス度を「１０」とする。また、経時的ストレス判定部８２は、２日前が注意と判定され、１日前が正常と判定され、当日が正常と判定されたときには、経時的ストレス度を「５」とする。
【００３２】
このように、経時的ストレス度を算出することによって、日々の局所的な変動に影響されない、大局的なストレス度を測定することができる。
【００３３】
図６において、「−」は測定が行なわれなかった場合を示すが、この判定ルールでは、図６に示すように、測定が行なわれなかった場合でも経時的ストレス度が算出される。つまり、被験者が測定を忘れたり、またはさぼったりした場合でも、なんらかの値のストレス度の算出が可能であり、それによってこの装置をより使い易いものとしている。
【００３４】
さらに、経時的ストレス判定部８２は、算出した被験者の経時的ストレス度に応じた図形を図形データ記憶部８５から読出して表示する。図形は、三角形、四角形及び円などの基本図形だけでなく、キャラクター、ロゴ及び絵画なども含まれる。また、図形は二次元的であっても三次元的であってもよい。このようにストレス度に応じた図形が表示されるので、被験者は、自身のストレス度を目視によって容易に認識することができる。
【００３５】
図７は、経時的ストレス度とキャラクターとの関係を表わす図である。経時的ストレス度が「１０」の場合にキャラクターＣ１が表示され、経時的ストレス度が「５」または「２．５」の場合にキャラクターＣ２が表示され、経時的ストレス度が「０」の場合にキャラクターＣ３が表示され、経時的ストレス度が「−５」または「−２．５」の場合にキャラクターＣ４が表示され、経時的ストレス度が「−１０」の場合にキャラクターＣ５が表示される。
【００３６】
また、ストレス判定部２９は、算出した経時的ストレス度と、ユーザ情報記憶部５６に記憶されているユーザ情報とに基づいて、ストレス解消情報記憶部５７に記憶されている複数のストレス解消のための情報のうちの１つを選択し、選択した情報を表示部２３に表示する。
【００３７】
図８は、ストレス解消のための情報の例を表わす図である。図８は、経時的ストレス度が「１０」であると算出されたときに表示される情報の例である。
【００３８】
図９は、ストレス解消のための情報の別の例を表わす図である。図９は、経時的ストレス度が［−５」であると算出され、かつユーザ情報が音楽が趣味であるときに表示される情報の例である。
【００３９】
心理テスト記憶部５３は、心理テストの質問データを記憶する。基準データ記憶部５１は、被験者のα−アミラーゼの基準データを記憶する。心理データ記憶部５２は、被験者の心理データを記憶する。検査データ記憶部５４は、過去３日分の被験者のα−アミラーゼの検査データを記憶する。ユーザ画面５５は、ユーザ登録画面およびユーザ確認画面を記憶する。ユーザ情報記憶部５６は、ユーザＩＤと対応させて被験者のユーザ情報を記憶する。ストレス解消情報記憶部５７は、経時的ストレス度およびユーザ情報と対応させて、ストレス解消のための情報を記憶する。心理テスト記憶部５３、基準データ記憶部５１、心理データ記憶部５２、検査データ記憶部５４、ユーザ画面記憶部５５、ユーザ情報記憶部５６およびストレス解消情報記憶部５７は、それぞれが別個の、または全部が１個のメモリ、ハードディスクなどによって構成されている。
【００４０】
表示部２３は、ユーザ登録画面、ユーザ確認画面、心理テストの質問、心理テストの回答選択枝、被験者の一時的または経時的ストレス度に応じたキャラクターなどを含む図形およびストレス解消のための情報などを表示する。
【００４１】
（動作）
次に、本発明の実施形態のストレス測定装置１およびストレス管理装置２の動作を説明する。以下では、登録動作と、ストレス判定動作に分けて説明する。
【００４２】
（登録動作）
図１０は、図１のストレス測定装置１およびストレス管理装置２による登録動作の手順を表わすフローチャートである。
【００４３】
まず、被験者が、ストレス無自覚症状時において、ストレス測定装置１の操作入力部１６を操作すると、ストレス測定装置１のα−アミラーゼ測定部１７は、被験者の唾液中のα−アミラーゼの活性量を測定する（ステップＳ１０１）。
【００４４】
次に、ストレス測定装置１の通信部９は、測定値をストレス管理装置２に送信する（ステップＳ１０２）。
【００４５】
次に、ストレス管理装置２の通信部２５は、測定値を受信する（ステップＳ１０３）。
次に、ストレス管理装置２のユーザ登録部２６は、ユーザ登録画面を表示部２３に表示する（ステップＳ１０４）。
【００４６】
次に、被験者が、ストレス管理装置２の操作入力部２１からユーザＩＤおよびユーザ情報を入力すると、ストレス管理装置２のユーザ登録部２６は、ユーザＩＤと対応させてユーザ情報をユーザ情報記憶部５６に記憶する（ステップＳ１０５）。
【００４７】
また、ストレス管理装置２の基準データ登録部２８は、ユーザＩＤと対応させて、受信した測定値を被験者の基準データとして基準データ記憶部５１に記憶する（ステップＳ１０６）。
【００４８】
次に、ストレス管理装置２の心理テスト部３０は、心理テスト記憶部５３から心理テスト用の質問および回答選択枝を読出して表示部２３に表示し、操作入力部２１を通じて被験者の回答を受付ける（ステップＳ１０７）。
【００４９】
次に、ストレス管理装置２の心理テスト部３０は、被験者の回答に基づいて被験者の心理データを生成し、ユーザＩＤと対応させて心理データを心理データ記憶部５２に記憶する（ステップＳ１０８）。
【００５０】
（ストレス判定動作）
図１１は、ストレス測定装置１およびストレス管理装置２によるストレス判定動作の手順を表わすフローチャートである。
【００５１】
まず、被験者が、検査時において、ストレス測定装置１の操作入力部１６を操作すると、ストレス測定装置１のα−アミラーゼ測定部１７は、被験者の唾液中のα−アミラーゼの活性量を測定する（ステップＳ２０１）。
【００５２】
次に、ストレス測定装置１の通信部１９は、測定値をストレス管理装置２に送信する（ステップＳ２０２）。
【００５３】
次に、ストレス管理装置２の通信部２５は、測定値を受信する（ステップＳ２０３）。
次に、ストレス管理装置２のユーザ確認部２７は、ユーザ確認画面を表示部２３に表示する（ステップＳ２０４）。
【００５４】
次に、被験者が、ストレス管理装置２の操作入力部２１からユーザＩＤを入力すると、ストレス管理装置２のユーザ確認部２７は、入力されたユーザＩＤがユーザ情報記憶部５６に記憶されているユーザＩＤのいずれかと一致するかの認証を行ない、認証が成功した後に、ストレス判定部２９は、入力されたユーザＩＤと対応させて、受信した測定値を被験者の検査データとして検査データ記憶部５４に記憶する（ステップＳ２０５）。
【００５５】
次に、ストレス管理装置２のストレス判定部２９は、検査データ記憶部５４に検査データが記憶され、基準データ記憶部５１に基準データが記憶され、心理データ記憶部５２に心理データが記憶されている場合に（ステップＳ２０６でＹＥＳ）、検査データ記憶部５４に記憶されている被験者の検査データの履歴、すなわち３日分（当日、１日前、２日前）の検査データと、基準データ記憶部５１に記憶されている被験者の基準データと、心理データ記憶部５２に記憶されている被験者の心理データと、ストレス判定ルールとに基づいて、被験者の経時的ストレス度を算出する（ステップＳ２０７）。
【００５６】
次に、ストレス管理装置２のストレス判定部２９は、算出した被験者の経時的ストレス度に応じた図形を図形データ記憶部８５から読出して表示部２３に表示する（ステップＳ２０８）。
【００５７】
次に、ストレス管理装置２のストレス判定部２９は、算出した被験者の経時的ストレス度およびユーザ情報記憶部５６に記憶されている被験者のユーザ情報に基づいて、ストレス解消情報記憶部５７に記憶されている複数のストレス解消のための情報のうちの１つを選択し、選択した情報を表示部２３に表示する（ステップＳ２０９）。
【００５８】
以上のように、本発明の実施形態のストレス測定装置１およびストレス管理装置２によれば、被験者のα−アミラーゼの活性量と、被験者の心理テストに対する回答にしたがってストレスを測定するので、非侵襲で、より信頼性の高いストレス度を測定することができる。
【００５９】
［第２の実施形態］
（構成）
図１２は、本発明の第２の実施形態のストレス管理システムの機能ブロック図である。
【００６０】
図１２を参照して、ストレス管理システムは、図１と同一のストレス測定装置１と、ストレス管理端末３と、ストレス管理サーバ４とからなる。
【００６１】
ストレス測定装置１は、図１と同一なので、ここでは説明を繰返さない。
ストレス管理端末３は、たとえばパソコンで構成され、データ通信部３２と、ブラウザ部３１と、表示部３４と、操作入力部３５と、インターネット通信部３３とを備える。インターネット通信部３３は、ストレス管理端末３（パーソナルコンピュータ）がインターネット通信プログラムを実行することによって実現される機能である。データ通信部３２は、ストレス管理端末３（パソコン）がデータ通信プログラムを実行することによって実現される機能である。ブラウザ部３１は、ストレス管理端末３（パソコン）がブラウザプログラムを実行することによって実現される機能である。これらのプログラムは、ＣＤ−ＲＯＭなどの記録媒体からの読出し、または外部のサーバからネットワークを通じてダウンロードすることによって、ストレス管理端末３（パソコン）にインストールすることができる。
【００６２】
操作入力部３５は、たとえばマウスおよびキーボードで構成され、被験者からユーザＩＤ、ユーザ情報、心理テストの回答の選択などを受付ける。
【００６３】
データ通信部３２は、ストレス測定装置１からα−アミラーゼの活性量の測定値を受信する。
【００６４】
インターネット通信部３３は、ストレス管理サーバ４との間でインターネットによる通信を行なう。
【００６５】
ブラウザ部３１は、インターネット通信部３３を通じてストレス管理サーバ４からＨＴＭＬ文書の受信およびストレス管理サーバ４へのデータの送信を行ない、ＨＴＭＬ文書に基づいて画面の表示を行ない、操作入力部３５を通じて被験者からの指示を受ける。
【００６６】
表示部３４は、ストレス管理サーバ４から受信したＨＴＭＬ文書に基づいて、ユーザ登録画面、ユーザ確認画面、心理テストの質問項目、心理テストの回答選択枝、被験者の経時的ストレス度に応じたキャラクターなどを含む図形およびストレス解消のための情報などを表示する。
【００６７】
ストレス管理サーバ４は、たとえばパーソナルコンピュータで構成され、基準データ記憶部６１と、心理データ記憶部６２と、心理テスト記憶部６３と、検査データ記憶部６４と、ユーザ画面記憶部６５と、ユーザ情報記憶部６６と、ストレス解消情報記憶部６７と、インターネット通信部４１と、ユーザ登録部４２と、ユーザ確認部４３と、基準データ登録部４４と、心理テスト部４６と、ストレス判定部４５と、日付管理部８７とを備える。インターネット通信部４１は、ストレス管理サーバ４（パソコン）がインターネット通信プログラムを実行することによって実現される機能である。ユーザ登録部４２と、ユーザ確認部４３と、基準データ登録部４４と、心理テスト部４６と、ストレス判定部４５は、ストレス管理サーバ４（パソコン）がストレス管理サーバプログラムを実行することによって実現される機能である、これらのプログラムは、ＣＤ−ＲＯＭなどの記録媒体からの読出し、または外部のサーバからネットワークを通じてダウンロードすることによって、ストレス管理サーバ４（パソコン）にインストールすることができる。
【００６８】
インターネット通信部４１は、ストレス管理端末３との間でインターネットによる通信を行なう。
【００６９】
ユーザ登録部４２は、被験者の登録時において、ユーザ画面記憶部６５からユーザ登録のためのＨＴＭＬ文書をインターネット通信部４１を通じてストレス管理端末３に送信し、ストレス管理端末３から被験者のユーザＩＤおよびユーザ情報を受信し、ユーザＩＤと対応させてユーザ情報をユーザ情報記憶部６６に記憶する。
【００７０】
基準データ登録部４４は、ストレス管理端末３から被験者のストレス無自覚症状時のα−アミラーゼの活性量の測定値を受信し、ユーザＩＤと対応させてそれを被験者の基準データとして基準データ記憶部６１に記憶する。基準データ記憶部６１には、基準データが日付管理部８７から供給される日付ととともに記憶される。
【００７１】
心理テスト部４６は、心理テスト記憶部６３から第１の実施形態と同様の心理テストのためのＨＴＭＬ文書を読出して、インターネット通信部４１を通じてストレス管理端末３に送信し、ストレス管理端末３から被験者の回答を受信し、第１の実施形態と同様に、被験者の回答に基づいて被験者の心理状態を表わす被験者の心理データを作成して心理データ記憶部６２に記憶する。
【００７２】
ユーザ確認部４３は、被験者のストレス判定時において、ユーザ画面記憶部６５からユーザ確認のためのＨＴＭＬ文書をインターネット通信部４１を通じてストレス管理端末３に送信し、ストレス管理端末３から被験者のユーザＩＤを受信し、ユーザＩＤがユーザ情報記憶部６６に記憶されているユーザＩＤのいずれかと一致するかの認証を行なう。
【００７３】
ストレス判定部４５は、認証が成功したときに、ストレス管理端末３から被験者の検査時のα−アミラーゼの活性量の測定値を受信し、ユーザＩＤと対応させてそれを被験者の検査データとして検査データ記憶部６４に記憶する。検査データ記憶部６４には、検査データが日付管理部８７から供給される日付ととともに記憶される。
【００７４】
ストレス判定部４５は、基準データ記憶部６１に記憶されている被験者のα−アミラーゼの基準データと、心理データ記憶部６２に記憶されている被験者の心理データと、検査データ記憶部６４に記憶されている被験者の検査データと、ストレス判定ルールとに基づいて、第１の実施形態と同様にして、被験者の経時的ストレス度を算出する。
【００７５】
また、ストレス判定部４５は、第１の実施形態と同様にして、算出した被験者の経時的ストレス度に応じた図形およびストレス解消のための情報を選択し、これらをストレス管理端末３に送信する。
【００７６】
心理テスト記憶部６３は、心理テストのＨＴＭＬ文書を記憶する。基準データ記憶部６１は、被験者のα−アミラーゼの基準データを記憶する。心理データ記憶部６２は、被験者の心理データを記憶する。検査データ記憶部６４は、過去３日分の被験者のα−アミラーゼの検査データを記憶する。ユーザ画面記憶部６５は、ユーザ登録のためのＨＴＭＬ文書およびユーザ確認のためのＨＴＭＬ文書を記憶する。ユーザ情報記憶部６６は、ユーザＩＤと対応させて被験者のユーザ情報を記憶する。ストレス解消情報記憶部６７は、経時的ストレス度およびユーザ情報と対応させて、ストレス解消のための情報を記憶する。心理テスト記憶部６３、基準データ記憶部６１、心理データ記憶部６２、検査データ記憶部６４、ユーザ画面記憶部６５、ユーザ情報記憶部６６およびストレス解消情報記憶部６７は、それぞれが別個の、または全部が１個のメモリ、ハードディスクなどによって構成されている。
【００７７】
（動作）
次に、本発明の実施形態のストレス管理システムの動作を説明する。以下では、登録動作と、ストレス判定動作に分けて説明する。
【００７８】
（登録動作）
図１３は、図１２のストレス管理システムによる登録動作の手順を表わすフローチャートである。
【００７９】
まず、被験者が、ストレス無自覚症状時において、ストレス測定装置１の操作入力部１６を操作すると、ストレス測定装置１のα−アミラーゼ測定部１７は、被験者の唾液中のα−アミラーゼの活性量を測定する（ステップＳ３０１）。
【００８０】
次に、ストレス測定装置１の通信部１９は、測定値をストレス管理端末３に送信する（ステップＳ３０２）。
【００８１】
次に、ストレス管理端末３のデータ通信部３２は、測定値を被験者の基準データとして受信する（ステップＳ３０３）。
【００８２】
次に、ストレス管理端末３のブラウザ部３１は、インターネット通信部３３を通じてストレス管理サーバ４にアクセスして、インターネット通信の接続を行なう（ステップＳ３０４）。
【００８３】
ストレス管理サーバ４のユーザ確認部４３は、ユーザ画面記憶部６５からユーザ登録のためのＨＴＭＬ文書を読出して、それをインターネット通信部４１を通じてストレス管理端末３へを送信する（ステップＳ３０５）。
【００８４】
次に、ストレス管理端末３のブラウザ部３１は、インターネット通信部３３を通じて、ユーザ登録のためのＨＴＭＬ文書を受信して、それに基づいてユーザ登録画面を表示部３４に表示する。ストレス管理端末３のブラウザ部３１は、操作入力部３５を通じて被験者からユーザＩＤおよびユーザ情報の入力を受ける。ストレス管理端末３のブラウザ部３１は、ユーザＩＤ、ユーザ情報および受信した被験者の基準データをストレス管理サーバ４に送信する（ステップＳ３０６）。
【００８５】
ストレス管理サーバ４のユーザ登録部４２は、インターネット通信部４１を通じてユーザＩＤ、ユーザ情報および被験者の基準データを受信し、ユーザＩＤと対応させてユーザ情報をユーザ情報記憶部６６に記憶する。ストレス管理サーバ４の基準データ登録部４４は、ユーザＩＤと対応させて、受信した測定値を被験者の基準データとして基準データ記憶部６１に記憶する（ステップＳ３０７）。
【００８６】
次に、ストレス管理サーバ４の心理テスト部４６は、心理テスト記憶部６３から心理テストのためのＨＴＭＬ文書、すなわち心理テストの質問および回答選択枝を含むＨＴＭＬ文書を読出して、それをインターネット通信部４１を通じてストレス管理端末３へ送信する（ステップＳ３０８）。
【００８７】
次に、ストレス管理端末３のブラウザ部３１は、インターネット通信部３３を通じて、心理テストのためのＨＴＭＬ文書を受信して、それに基づいて心理テストの質問および回答選択枝を表示部３４に表示する。ストレス管理端末３のブラウザ部３１は、操作入力部３５を通じて被験者から心理テストの回答の選択を受付ける。
【００８８】
次に、ストレス管理端末３のブラウザ部３１は、インターネット通信部３３を通じて被験者の回答をストレス管理サーバ４に送信する（ステップＳ３０９）。
【００８９】
次に、ストレス管理端末３の心理テスト部４６は、インターネット通信部４１を通じて被験者の回答を受信して、これに基づいて被験者の心理データを生成し、ユーザＩＤに対応させて心理データを心理データ記憶部６２に記憶する（ステップＳ３１０）。
【００９０】
（ストレス判定動作）
図１４は、ストレス管理システムによるストレス判定動作の手順を表わすフローチャートである。
【００９１】
まず、被験者が、検査時において、ストレス測定装置１の操作入力部１６を操作すると、ストレス測定装置１のα−アミラーゼ測定部１７は、被験者の唾液中のα−アミラーゼの活性量を測定する（ステップＳ４０１）。
【００９２】
次に、ストレス測定装置１の通信部１９は、測定値をストレス管理端末３に送信する（ステップＳ４０２）。
【００９３】
次に、ストレス管理端末３のデータ通信部３２は、測定値を被験者の検査データとして受信する（ステップＳ４０３）。
【００９４】
次に、ストレス管理端末３のブラウザ部３１は、インターネット通信部３３を通じてストレス管理サーバ４にアクセスして、インターネット通信の接続を行なう（ステップＳ４０４）。
【００９５】
ストレス管理サーバ４のユーザ確認部４３は、ユーザ画面記憶部６５からユーザ確認のためのＨＴＭＬ文書を読出して、それをインターネット通信部４１を通じてストレス管理端末３へを送信する（ステップＳ４０５）。
【００９６】
次に、ストレス管理端末３のブラウザ部３１は、インターネット通信部３３を通じて、ユーザ確認のためのＨＴＭＬ文書を受信して、それに基づいてユーザ確認画面を表示３４に表示する。ストレス管理端末３のブラウザ部３１は、操作入力部３５を通じて被験者からユーザＩＤの入力を受付ける。ストレス管理端末３のブラウザ部３１は、入力されたユーザＩＤと被験者の基準データをストレス管理サーバ４に送信する（ステップＳ４０６）。
【００９７】
ストレス管理サーバ４のユーザ確認部４３は、インターネット通信部４１を通じてユーザＩＤおよび被験者の検査データを受信して、ユーザＩＤが登録されている、すなわちユーザ情報記憶部６６にユーザＩＤが記憶されている場合に、受信したユーザＩＤおよび被験者の検査データをストレス判定部４５に送る。ストレス判定部４５は、受け取ったユーザＩＤに対応させて被験者の検査データを検査データ記憶部６４に記憶する（ステップＳ４０７）。
【００９８】
次に、ストレス管理サーバ４のストレス判定部４５は、検査データ記憶部６４に検査データが記憶され、基準データ記憶部６１に基準データが記憶され、心理データ記憶部６２に心理データが記憶されている場合に（ステップＳ４０８でＹＥＳ）、検査データ記憶部に記憶されている被験者の検査データの履歴、すなわち３日分（当日、１日前、２日前）６４の検査データと、基準データ記憶部６１に記憶されている被験者の基準データと、心理データ記憶部６２に記憶されている被験者の心理データと、ストレス判定ルールとに基づいて、被験者の経時的ストレス度を算出する（ステップＳ４０９）。
【００９９】
次に、ストレス管理サーバ４のストレス判定部４５は、被験者の経時的ストレス度に応じた図形を選択する（ステップＳ４１０）。
【０１００】
次に、ストレス管理端末３のストレス判定部４５は、被験者の経時的ストレス度およびユーザ情報記憶部６５に記憶されている被験者のユーザ情報に基づいて、ストレス解消情報記憶部６７に記憶されている複数のストレス解消のための情報のうちの１つを選択する（ステップＳ４１１）。
【０１０１】
ストレス管理サーバ４のストレス判定部４５は、選択した経時的ストレス度を表わす図形および選択したストレス解消のための情報を含むＨＴＭＬ文書をインターネット通信部４１を通じてストレス管理端末３に送信する（ステップＳ４１２）。
【０１０２】
次に、ストレス管理端末３のブラウザ部３１は、インターネット通信部３３を通じて、経時的ストレス度を表わす図形およびストレス解消のための情報を含むＨＴＭＬ文書のＨＴＭＬ文書を受信して、経時的ストレス度を表わす図形およびストレス解消のための情報を表示部３４に表示する（ステップＳ４１３）。
【０１０３】
以上のように、本発明の実施形態のストレス管理システムによれば、被験者のα−アミラーゼの活性量と、被験者の心理テストに対する回答にしたがってストレスを測定するので、非侵襲で、より信頼性の高いストレス度を測定することができる。
【０１０４】
（変形例）
本発明は、上記の実施の形態に限定されるものではなく、たとえば以下のような変形例を含む。
【０１０５】
（１）  検査する生体の物質について
本発明の実施形態では、被験者の生体内から非侵襲で得られ、かつその濃度または活性量が被験者のストレス度と相関のある物質の濃度または活性量としてα−アミラーゼの活性量を用いたが、これに限定するものではなく、それ以外の物質の濃度または活性量を用いてもよい。たとえば、唾液中のコルチゾールの濃度を用いてもよい。
【０１０６】
（２）  心理テストについて
本発明の実施形態では、ＳＴＡＩの特性不安を評価するテストによって被験者の心理データを生成したが、これに限定するものではなく、ＳＴＡＩの状況不安を評価するテストによって被験者の心理データを生成するものとしてもよい。
【０１０７】
また、ＳＴＡＩ以外の好ましい心理テスト、たとえば、ＰＯＭＳ(Profile of Mood Sates)、ＳＤＳ(Self-rating Depression Scale）などを用いてもよい。ＰＯＭＳの場合、緊張、抑うつ、怒り、活気、疲労、混乱の６因子が測定できるが、抑うつおよび／または疲労の因子を測定することが望ましい。また、これらの以外の心理テストとして、たとえば、ＹＧ(矢田部ギルホード性格検査)、ＣＭＩ(Cornell Medical Index)、ＭＡＳ(Manifest Anxiety scale)などを用いてもよい。
【０１０８】
（３）  一時的ストレス度および経時的ストレス度の判定
本発明の実施形態で説明した一時的ストレス度および経時的ストレス度の算出方法は一例であって、その他の算出方法を用いてもよい。また、経時的ストレス度として過去３日分の履歴を用いる例を挙げたが、これに限定するものではなく、最新の検査データだけを被験者の検査データとして用いてもよい。
【０１０９】
（４）  測定データの入力
本発明の実施形態では、ストレス管理装置またはストレス管理端末が、ストレス測定装置から測定データを受信することとしたが、これに限定するものではない。たとえば、ストレス測定装置が測定データをメモリカードに記録して、ストレス管理装置またはストレス管理端末がこのメモリカードに記録された測定データを読出すものとしてもよい。あるいは、ストレス測定装置が測定データを表示して、被験者がストレス管理装置またはストレス管理端末のキーボードなどの入力手段から測定データを入力するものとしてもよい。
【０１１０】
（５）  一時的ストレス度の出力
本発明の実施形態では、被験者の経時的ストレス度を判定し、被験者の経時的ストレス度に応じた図形を表示することとしたが、これに限定されるものではない。被験者の一時的ストレス度に応じた図形を表示することとしてもよい。
【０１１１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１１２】
【図１】本発明の第１の実施形態に係るストレス測定装置およびストレス管理装置の機能ブロック図である。
【図２】図１のストレス測定装置の外観を表わす図である。
【図３】ＳＴＡＩの質問を表示した画面の例を表わす図である。
【図４】ストレス判定部２９の詳細な構成を表わす図である。
【図５】一時的ストレス判定ルールの例を表わす図である。
【図６】経時的ストレス判定ルールの例を表わす図である。
【図７】経時的ストレス度とキャラクターとの関係を表わす図である。
【図８】ストレス解消のための情報の例を表わす図である。
【図９】ストレス解消のための情報の別の例を表わす図である。
【図１０】図１のストレス測定装置およびストレス管理装置による登録動作の手順を表わすフローチャートである。
【図１１】図１のストレス測定装置およびストレス管理装置によるストレス判定動作の手順を表わすフローチャートである。
【図１２】本発明の第２の実施形態のストレス管理システムの機能ブロック図である。
【図１３】図１２のストレス管理システムによる登録動作の手順を表わすフローチャートである。
【図１４】図１２のストレス管理システムによるストレス判定動作の手順を表わすフローチャートである。
【符号の説明】
【０１１３】
１  ストレス測定装置、２  ストレス管理装置、３  ストレス管理端末、４  ストレス管理サーバ、１６，２１，３５  操作入力部、１７  α−アミラーゼ測定部、１８，２３，３４  表示部、１９，２５  通信部、５１，６１  基準データ記憶部、５２，６２  心理データ記憶部、５３，６３  心理テスト記憶部、５４，６４  検査データ記憶部、５５，６５  ユーザ画面記憶部、５６，６６  ユーザ情報記憶部、５７，６７  ストレス解消情報記憶部、２６，４２  ユーザ登録部、２７，４３  ユーザ確認部、２８，４４  基準データ登録部、２９，４５  ストレス判定部、３０，４６  心理テスト部、３１  ブラウザ部、３２  データ通信部、３３，４１  インターネット通信部、８１  一時的ストレス判定部、８２  経時的ストレス判定部、８３  一時的ストレス判定ルール記憶部、８４  経時的ストレス判定ルール記憶部、８５  図形データ記憶部、８６，８７  日付管理部。
【図１】
2007278840.tif 000003
【図２】
2007278840.tif 000004
【図３】
2007278840.tif 000005
【図４】
2007278840.tif 000006
【図５】
2007278840.tif 000007
【図６】
2007278840.tif 000008
【図７】
2007278840.tif 000009
【図８】
2007278840.tif 000010
【図９】
2007278840.tif 000011
【図１０】
2007278840.tif 000012
【図１１】
2007278840.tif 000013
【図１２】
2007278840.tif 000014
【図１３】
2007278840.tif 000015
【図１４】
2007278840.tif 000016